(57)【要約】【課題】気密性を保持しつつ組立作業を容易なものとすることができる自動販売機の商品収容室を提供すること。【解決手段】前面に開口が形成された直方状の外箱１０の内壁面に断熱材２１が敷設されることで構成され、かつ販売商品を収容する自動販売機の商品収容室２０において、Ｌ字状断熱材２１ｄは、表面及び裏面が可撓性を有する面材２１０ａ，２１０ｂに被覆された断熱体２１０ｃから成る１つの断熱ボード２１０の任意個所の断熱体２１０ｃ３及び裏面材２１０ａ３を取り除くことで該任意個所を表面側面材２１０ｂのみとし、この表面側面材２１ｄ３により連結される２つの断熱体２１ａ１，２１ａ２のうち一方の断熱体２１ｄ２の端面が他方の断熱体２１ｄ１の表面にある面材２１ｄ３に該任意個所の表面側面材２１ｄ３を介して接するよう該任意個所の表面側面材２１ｄ３を折り曲げて構成されるものである。【選択図】図４
2013167998.tif 000002
【特許請求の範囲】
【請求項１】
前面に開口が形成された直方状の自動販売機本体の内壁面に断熱材が敷設されることで構成され、かつ販売商品を収容する自動販売機の商品収容室において、
互いに隣接する少なくとも１組の断熱材は、表面及び裏面が可撓性を有する面材に被覆された断熱体から成る１つの断熱ボードの任意個所の断熱体及び裏面側面材を取り除くことで該任意個所を表面側面材のみとし、この表面側面材により連結される２つの断熱体のうち一方の断熱体の端面が他方の断熱体の表面にある面材に該任意個所の表面側面材を介して接するよう該任意個所の表面側面材を折り曲げて構成されることを特徴とする自動販売機の商品収容室。
【発明の詳細な説明】
【技術分野】
【０００１】
本発明は、例えば缶入り飲料やペットボトル入り飲料等の商品を販売する自動販売機の商品収容室に関するものである。
【背景技術】
【０００２】
従来、例えば缶入り飲料やペットボトル入り飲料等の商品を販売する自動販売機においては、前面に開口が形成された直方状の自動販売機本体の内部に断熱構造の商品収容室が設けられている。
【０００３】
この商品収容室は、販売商品を収容するためのもので、自動販売機本体の内部において上壁、一対の側壁、底壁、後壁の内壁面にそれぞれ予め板状に成形した断熱材が敷設されることで構成されている（例えば、特許文献１参照）。
【先行技術文献】
【特許文献】
【０００４】
【特許文献１】特開２０１０−２６６９２１号公報
【発明の概要】
【発明が解決しようとする課題】
【０００５】
上述した商品収容室では、各内壁面に板状に成形した断熱材が敷設されていたために、互いに隣接する断熱材どうしでは、気密性保持のために継ぎ目どうしをテープ等の固定部材で接続する必要があり、商品収容室の組立作業が煩雑なものとなっていた。
【０００６】
本発明は、上記実情に鑑みて、気密性を保持しつつ組立作業を容易なものとすることができる自動販売機の商品収容室を提供することを目的とする。
【課題を解決するための手段】
【０００７】
上記目的を達成するために、本発明の請求項１に係る自動販売機の商品収容室は、前面に開口が形成された直方状の自動販売機本体の内壁面に断熱材が敷設されることで構成され、かつ販売商品を収容する自動販売機の商品収容室において、互いに隣接する少なくとも１組の断熱材は、表面及び裏面が可撓性を有する面材に被覆された断熱体から成る１つの断熱ボードの任意個所の断熱体及び裏面側面材を取り除くことで該任意個所を表面側面材のみとし、この表面側面材により連結される２つの断熱体のうち一方の断熱体の端面が他方の断熱体の表面にある面材に該任意個所の表面側面材を介して接するよう該任意個所の表面側面材を折り曲げて構成されることを特徴とする。
【発明の効果】
【０００８】
本発明によれば、互いに隣接する少なくとも１組の断熱材が、表面及び裏面が可撓性を有する面材に被覆された断熱体から成る１つの断熱ボードの任意個所の断熱体及び裏面側面材を取り除くことで該任意個所を表面側面材のみとし、この表面側面材により連結される２つの断熱体のうち一方の断熱体の端面が他方の断熱体の表面にある面材に該任意個所の表面側面材を介して接するよう該任意個所の表面側面材を折り曲げて構成されるので、従来のように、自動販売機本体の各内壁面に板状に成形した断熱材を敷設する場合に比べて、組立工程数を削減することができる。また、Ｌ字状断熱材を構成する２つの断熱体の間には面材が介在するので、固定部材で接続しなくても気密性を確保することができる。従って、気密性を保持しつつ組立作業を容易なものとすることができるという効果を奏する。
【図面の簡単な説明】
【０００９】
【図１】図１は、本発明の実施の形態である商品収容室が適用された自動販売機を示す斜視図である。
【図２】図２は、図１に示した自動販売機の外箱及び商品収容室の構成を示す概念図である。
【図３】図３は、図１に示した自動販売機の外箱の内部における１つの商品収容庫の内部構造を示す断面側面図である。
【図４】図４は、図１に示した自動販売機の商品収容室を模式的に示す断面平面図である。
【図５】図５は、図４に示したＬ字状断熱材の製造工程の一例を模式的に示す説明図である。
【図６】図６は、図４に示したＬ字状断熱材のラップ代を調整する場合を模式的に示す説明図である。
【発明を実施するための形態】
【００１０】
以下に添付図面を参照して、本発明に係る自動販売機の商品収容室の好適な実施の形態について詳細に説明する。
【００１１】
図１は、本発明の実施の形態である商品収容室が適用された自動販売機を示す斜視図である。ここで例示する自動販売機は、例えば缶入り飲料やペットボトル入り飲料等の商品を冷却、若しくは加熱した状態で販売するもので、外箱１０、外扉５０及び内扉６０を備えて構成されている。
【００１２】
外箱１０は、図２に示すように、複数の金属板を適宜組み合わせることによって構成された自動販売機本体であり、前面が開口した箱状に構成されている。より具体的には、上壁１１、一対の側壁１２、底壁１３、後壁１４を接合することによって外箱１０が構成されている。一対の側壁１２は、それぞれ底壁１３よりも下方に延在しており、互いの間に台座壁１５が接合されている。
【００１３】
外箱１０には、その内部に断熱構造の商品収容室２０が設けられている。本実施の形態では、図２に示すように、上壁１１、一対の側壁１２、底壁１３、後壁１４の内壁面に沿って各種断熱材２１が敷設されることにより、これら断熱材２１によって囲まれる空間に商品収容室２０が構成されている。かかる商品収容室２０の詳細については後述する。
【００１４】
そして、商品収容室２０に対して前方側より例えば２つの断熱仕切板２２が挿入されることで、外箱１０の内部に３つの独立した商品収容庫２３が左右に並んだ態様で設けられている。
【００１５】
図３は、図１に示した外箱１０の内部における１つの商品収容庫２３の内部構造を示す断面側面図である。この図３では、最も左側にある商品収容庫（以下、左庫ともいう）２３の内部構造について示すが、中央の商品収容庫（以下、中庫ともいう）２３及び右側の商品収容庫（以下、右庫ともいう）２３の内部構造も左庫２３と略同じような構成を有している。尚、本明細書における左側とは、自動販売機を正面側から見た場合の左方を示し、右側とは、自動販売機を正面側から見た場合の右方を示す。
【００１６】
左庫２３の内部には、搬出シュータ２４が設けられており、この搬出シュータ２４よりも下方となる領域（以下、「熱交換領域」ともいう）に温度調節ユニット２５が配設されている一方、搬出シュータ２４よりも上方となる領域（以下、「商品収納領域」ともいう）に商品収納ラック４０が配設されている。
【００１７】
搬出シュータ２４は、商品収納ラック４０から払い出された商品を内扉６０（下部内扉６０）の商品搬出口６１に案内するためのプレート状部材であり、前方側に向けて漸次下方に傾斜する態様で配設されている。この搬出シュータ２４には、熱交換領域と商品収納領域との間を連通させる通気孔が多数穿設されている。
【００１８】
温度調節ユニット２５は、左庫２３の内部雰囲気を所望の温度状態に維持するためのもので、蒸発器２５ａ、電熱ヒータ２５ｂ及び庫内送風ファン２５ｃを備えて構成されている。
【００１９】
蒸発器２５ａは、圧縮機２６１、凝縮器２６２及び膨張弁２６３と冷媒配管２７にて接続されて冷凍サイクルを構成するものであり、自身の流路を通過する冷媒が蒸発することで周囲空気を冷却するものである。ここで圧縮機２６１、凝縮器２６２及び膨張弁２６３は、外箱１０の内部であって商品収容室２０の下方に区画された機械室１６に配設されている。
【００２０】
電熱ヒータ２５ｂは、蒸発器２５ａの前方域に配設されており、通電状態となることにより自身の周囲空気を加熱する加熱源である。庫内送風ファン２５ｃは、左庫２３（商品収容庫２３）の内部空気を循環させるための送風手段である。
【００２１】
このような温度調節ユニット２５においては、例えば冷凍サイクルを運転した状態で庫内送風ファン２５ｃを駆動すると、蒸発器２５ａにおいて冷却された空気が搬出シュータ２４の通気孔を通じて上方に送給されるため、商品収納ラック４０（商品収納領域）を低温状態に維持することができる。一方、電熱ヒータ２５ｂに通電した状態で庫内送風ファン２５ｃを駆動すると、電熱ヒータ２５ｂによって加熱された空気が搬出シュータ２４の通気孔を通じて上方に送給されるため、商品収納ラック４０（商品収納領域）を高温状態に維持することができる。
【００２２】
商品収納ラック４０は、図３に示すように、一対の側板４１の間に通路形成部材４２を配設することによって上下方向に沿って延在する蛇行状の商品収納域４３を構成したもので、該商品収納域４３に商品を収納する一方、商品払出指令が与えられた場合に払出機構４４を通じて対応する商品の払い出しを行うものである。本実施の形態では、それぞれの商品収容庫２３に複数の商品収納域４３を有した商品収納ラック４０を前後に配設するようにしている。
【００２３】
外扉５０は、外箱１０の前面開口を覆うためのもので、外箱１０の一側縁部に開閉可能に配設されている。外扉５０の前面には、商品を販売する際に必要となるディスプレイウィンドウ、商品選択ボタン、紙幣挿通口、硬貨投入口、返却レバー、金額表示器、硬貨返却口が設けられているとともに（いずれも図示せず）、商品取出口５１が設けられている。
【００２４】
また、この外扉５０には、商品取出部５２（図１及び図３参照）が設けられている。商品取出部５２は、商品収容庫２３における商品収納ラック４０から払い出されて内扉６０の商品搬出口６１を通過した商品を収容し、かつ商品取出口５１を通じて該商品を取出可能にするものである。
【００２５】
内扉６０は、商品収容庫２３（商品収容室２０）の前面を覆うためのもので、外扉５０よりも内方となる位置において外箱１０の一側縁部に開閉可能に配設した自動販売機用扉体である。この内扉６０は、上下に分割された構造を有しており、商品収容庫２３（商品収容室２０）の前面開口の上部側を覆う上部内扉６０ａと、商品収容庫２３（商品収容室２０）の前面開口の下部側を覆う下部内扉６０ｂとから構成されている。
【００２６】
上記商品収容室２０は、外箱１０の上壁１１の内壁面に沿って敷設された平板状の断熱材２１ａと、底壁１３の内壁面に沿って敷設された平板状の断熱材２１ｂと、一対の側壁１２及び後壁１４の内壁面に沿って敷設された真空断熱材２１ｃ及びＬ字状断熱材２１ｄとをテープ等の固定部材Ｔ（図４参照）で目張りすることにより構成されている。
【００２７】
真空断熱材２１ｃは、図４に示すように、横断面形状がＬ字状を成しており、一方の側壁１２である左壁及び後壁１４の一部（左側部位）の内壁面に沿って敷設されるものである。
【００２８】
Ｌ字状断熱材２１ｄは、図４に示すように、他方の側壁１２である右壁及び後壁１４の一部（真空断熱材２１ｃで覆われていない残りの部位）の内壁面に沿って敷設されるものである。
【００２９】
このようなＬ字状断熱材２１ｄは、図４に拡大して示すように、２つの断熱体２１ｄ１，２１ｄ２がその間にある表面材２１ｄ３により連結されており、一方の断熱体２１ｄ２の端面が他方の断熱体２１ｄ１の表面に該表面材２１ｄ３を介して接するよう曲げて構成されている。
【００３０】
かかるＬ字状断熱材２１ｄは、次のようにして形成される。図５は、図４に示したＬ字状断熱材２１ｄの製造工程の一例を模式的に示す説明図である。かかる図５を参照しながら説明する。
【００３１】
まず、図５の（ａ）に示すように、表面及び裏面が可撓性を有する面材（表面材２１０ｂ及び裏面材２１０ａ）に被覆された例えばウレタンフォーム等の断熱体２１０ｃから成る１つの断熱ボード２１０を用意し、図５の（ｂ）に示すように、任意個所（除去個所）の裏面材２１０ａ及び断熱体２１０ｃに切り込みを入れる。このとき、断熱体２１０ｃは切り込みにより形成されたスリットＳに従って割れる性質を有するため、切り込みの深さの精度は高くする必要がない。
【００３２】
次に、図５の（ｃ）に示すように、表面材２１０ｂがＵ字状を成すように断熱ボード２１０を折り曲げる。これにより、切り込みにより形成されたスリットＳに沿って断熱体２１０ｃ及び裏面材２１０ａが３つに分離する。そして、図５の（ｄ）に示すように、断熱体２１０ｃ３を固定し、残りの２つの断熱体２１０ｃ１，２１０ｃ２を固定した断熱体２１０ｃ３から離隔する態様で引っ張ることにより固定された断熱体２１０ｃ３及びこれに接着する裏面材２１０ａ３が表面材２１０ｂより引き剥がされる。
【００３３】
その後、折り曲げた断熱ボード２１０を元の形態に戻すことで、図５の（ｅ）に示すように、２つの断熱体２１ｄ１（２１０ｃ１），２１ｄ２（２１０ｃ２）が除去個所の表面材２１ｄ３（２１０ｂ）に連結された形態を成す。このようにして得られた断熱ボード２１０を、一方の断熱体２１ｄ２の端面が他方の断熱体２１ｄ１の表面（表面材）に除去個所の表面材２１ｄ３を介して接するよう該表面材２１ｄ３を折り曲げることで互いに隣接する１組の断熱材であるＬ字状断熱材２１ｄが形成される。
【００３４】
以上のような構成を有する自動販売機の商品収容室２０においては、右壁（１２）及び後壁１４の一部の内壁面に沿って敷設されたＬ字状断熱材２１ｄは、１つの断熱ボード２１０の任意個所の断熱体２１０ｃ３及び裏面材２１０ａ３を取り除くことで該任意個所を表面材２１ｄ３（２１０ｂ）のみとし、この表面材２１ｄ３により連結される２つの断熱体２１ｄ１，２１ｄ２のうち一方の断熱体２１ｄ２の端面が他方の断熱体２１ｄ１の表面の表面材２１ｄ３に該任意個所の表面材２１ｄ３を介して接するよう該任意個所の表面材２１ｄ３を折り曲げて構成されているので、従来のように、各内壁面に板状に成形した断熱材を敷設する場合に比べて、組立工程数を削減することができる。また、Ｌ字状断熱材２１ｄを構成する２つの断熱体２１ｄ１，２１ｄ２の間には表面材２１ｄ３が介在するので、固定部材Ｔで接続しなくても気密性を確保することができる。従って、本実施の形態である自動販売機の商品収容室２０によれば、気密性を保持しつつ組立作業を容易なものとすることができる。
【００３５】
また、一方の断熱体２１ｄ２の端面が他方の断熱体２１ｄ１の表面の表面材２１ｄ３に該任意個所の表面材２１ｄ３を介して接するよう該任意個所の表面材２１ｄ３を折り曲げて構成されているので、図６に示すように、一方の断熱体２１ｄ２と他方の断熱体２１ｄ１とのラップ代（Ｌ１，Ｌ２）を調整することができ、適用される外箱１０の大きさに応じてラップ代を適宜変更することができ、断熱ボード２１０に高い寸法性が要求されず、これによっても組立作業を容易なものとすることができる。
【００３６】
更に、断熱ボード２１０の任意個所に切り込みを入れて折り曲げれば良いので、専用の工具等が不要であり、これによっても組立作業を容易なものとすることができる。
【００３７】
以上、本発明の好適な実施の形態について説明したが、本発明なこれに限定されるものではなく、種々の変更を行うことができる。
【００３８】
上述した実施の形態では、互いに隣接する１組の断熱材は、一方の側壁１２の内壁面と後壁１４の一部の内壁面とに沿って敷設されるものであったが、本発明においては、互いに隣接する内壁面であればどこであっても構わない。
【産業上の利用可能性】
【００３９】
以上のように、本発明に係る自動販売機は、例えば缶入り飲料やペットボトル入り飲料等の商品を販売するのに有用である。
【符号の説明】
【００４０】
１０  外箱
１１  上壁
１２  側壁
１３  底壁
１４  後壁
２０  商品収容室
２１  断熱材
２１ａ  断熱材
２１ｂ  断熱材
２１ｃ  真空断熱材
２１ｄ  Ｌ字状断熱材
２１ｄ１  断熱体
２１ｄ２  断熱体
２１ｄ３  表面材
２１０  断熱ボード
２１０ａ  裏面材
２１０ｂ  表面材
２１０ｃ  断熱体
２３  商品収容庫
４０  商品収納ラック
５０  外扉
５１  商品取出口
５２  商品取出部
６０  内扉
６０ａ  上部内扉
６０ｂ  下部内扉
６１  商品搬出口
Ｓ  スリット
Ｔ  固定部材
【図１】
2013167998.tif 000003
【図２】
2013167998.tif 000004
【図３】
2013167998.tif 000005
【図４】
2013167998.tif 000006
【図５】
2013167998.tif 000007
【図６】
2013167998.tif 000008